(57)【要約】【課題】印画紙片の裏面に文字情報を印字する印字装置を備えた写真処理装置において、印画紙片の長さにかかわらず、文字情報の印字開始位置を揃える。【解決手段】印画紙片１の長さがセンサ２４と印字装置２１との距離Ｌ１よりも長く、印画紙片１の搬送方向の上流側に位置する露光ユニット１０の第１搬送速度の影響を受ける場合に、タイミング制御部２５は、センサ２４が印画紙片１の先端の通過を検出してから印字装置２１により印字を開始するまでのタイミングを、印画紙片１の長さに応じて遅くなるように補正する。【選択図】　図１
2004061764.tif 000002
【特許請求の範囲】
【請求項１】
印画紙片を第１所定速度で搬送する第１搬送装置と、
印画紙片の搬送方向に対して前記第１搬送装置の下流側に位置し、印画紙片を前記第１搬送速度よりも速い第２搬送速度で搬送する第２搬送装置と、
前記第２搬送装置に対向するように設けられ、印画紙片の先端及び／又は後端の通過を検出するセンサと、
前記センサから所定距離だけ離れた位置に、前記第２搬送装置に対向するように設けられ、印画紙片の表面又は裏面の印画紙片の先端を基準とする所定の位置から画像以外の情報を記録するための記録装置と、
前記センサが印画紙片の先端又は後端の通過を検出してから前記記録装置による前記画像以外の情報の記録を開始するまでのタイミングを制御するタイミング制御部とを具備し、
印画紙片の搬送方向の長さが前記センサと前記記録装置の記録部との距離よりも長く、前記センサが印画紙片の先端を検出した時に印画紙片の後端が前記第１搬送装置に在った場合、前記タイミング制御部は、印画紙片の長さに応じて、前記タイミングを遅くすることを特徴とする写真処理装置。
【請求項２】
印画紙片を第１所定速度で搬送する第１搬送装置と、
印画紙片の搬送方向に対して前記第１搬送装置の下流側に位置し、印画紙片を前記第１搬送速度よりも速い第２搬送速度で搬送する第２搬送装置と、
前記第２搬送装置に対向するように設けられ、印画紙片の先端及び／又は後端の通過を検出するセンサと、
前記センサから所定距離だけ離れた位置に、前記第２搬送装置に対向するように設けられ、印画紙片の表面又は裏面の印画紙片の先端を基準とする所定の位置から画像以外の情報を記録するための記録装置と、
前記センサが印画紙片の先端又は後端の通過を検出してから前記記録装置による前記画像以外の情報の記録を開始するまでのタイミングを制御するタイミング制御部とを具備し、
印画紙片の搬送方向の長さが前記センサと前記記録装置の記録部との距離と同じかそれよりも短い場合に、前記タイミング制御部は、前記センサが印画紙片の後端を検出した時点から、以下の式
Ｔｒ＝｛（Ｌ１−Ｌｎ）＋δ｝／Ｓ２
但し、Ｌｎ：印画紙片の長さ
Ｌ１：センサと記録装置の記録部との距離
δ　：印画紙片の先端から画像以外の情報の本来の記録開始位置までの距離
Ｓ２：第２搬送速度
で表される時間Ｔｒだけ経過した時から前記記録装置による前記画像以外の情報の記録を開始することを特徴とする写真処理装置。
【請求項３】
印画紙片の搬送方向の長さが前記センサと前記記録装置の記録部との距離と同じかそれよりも長い場合に、前記タイミング制御部は、前記センサが印画紙片の先端を検出した時点から、以下の式
Ｔｆ＝（Ｌ１＋２δ−Ｄｎ）／Ｓ２
但し、Ｌｎ：印画紙片の長さ
Ｌ１：センサと記録装置の記録部との距離
δ　：印画紙片の先端から画像以外の情報の本来の記録開始位置までの距離
Ｓ２：第２搬送速度
Ｄｎ：印画紙片の長さに応じた印画紙片の先端から画像以外の情報の実際の記録開始位置までの推定距離
【数１】
2004061764.tif 000005
Ｌ２：写真処理装置で処理可能な印画紙片の最大長さ
Ｌ３：第１搬送速度の影響を受ける可能性のある最小長さ
Ｄ２：印画紙片の長さがＬ２の場合の印画紙片の先端から画像以外の情報の実際の記録開始位置までの距離の平均値
Ｄ３：印画紙片の長さがＬ３の場合の印画紙片の先端から画像以外の情報の実際の記録開始位置までの距離の平均値
で表される時間Ｔｆだけ経過した時から前記記録装置による前記画像以外の情報の記録を開始することを特徴とする請求項１記載の写真処理装置。
【発明の詳細な説明】
【０００１】
【発明の属する技術分野】
本発明は、写真処理装置、特に撮影に関する情報などを印画紙の表面にＬＥＤアレイなどの光ドット式露光装置を用いて露光したり、裏面にドットプリンタなどの印字装置を用いて印刷する写真処理装置に関する。
【０００２】
【従来の技術】
従来より、現像処理された印画紙片の裏面に、フィルム上のコマ番号など、撮影に関する情報が印字装置により印字されている（以下、裏面の印字を「バックプリント」と称する）。
【０００３】
また、ＡＰＳフィルムの場合、フィルム自体に磁気記録領域を有しており、撮影年月日や撮影条件などを記録している場合がある。従って、このようなフィルムから写真を現像処理する場合、印画紙片の表面に光ドット式露光装置を用いて文字データを露光することが行われている（表面の露光を「フロントプリント」と称する）。
【０００４】
印画紙片の幅方向（印画紙片搬送方向に直交する方向）におけるバックプリントの印字位置又はフロントプリントの露光位置は、印画紙片の搬送経路に対する印字装置又は光ドット式露光装置の位置により決定され、印画紙片の幅が同じ場合は、同じ位置に印字又は露光される。これに対して、印画紙片の搬送方向におけるバックプリントの印字又はフロントプリントの露光は、例えば印画紙片の先端から一定の距離だけ離れた位置から開始される。
【０００５】
具体的には、印画紙片の先端又は後端の通過を検出するためのセンサが印字装置又は光ドット式露光装置に対して印画紙片搬送方向の上流側に所定距離だけ離れた位置に設けられており、印画紙片の長さがセンサから印字装置又は光ドット式露光装置までの距離よりも長い場合は、センサにより印画紙片の先端の通過を検出してから一定時間経過した時点で、印字装置によるバックプリントの印字又は光ドット式露光装置によりフロントプリントの露光が開始される。また、印画紙片の長さがセンサから印字装置又は光ドット式露光装置までの距離よりも短い場合は、センサにより印画紙片の後端の通過を検出してから一定時間経過した時点で、印字装置によるバックプリントの印字又は光ドット式露光装置によりフロントプリントの露光が開始される。
【０００６】
【発明が解決しようとする課題】
近年、パノラマサイズやハイビジョンサイズなど、プリントサイズの多様化により、１本のフィルムについてのオーダー中に、幅は同じであっても長さの異なる写真が混在している場合が少なくない。
【０００７】
パノラマサイズのように、印画紙片の搬送方向の長さが長い場合、印画紙片の先端が印字装置又は光ドット式露光装置に対向する位置に到達し、バックプリントの印字又はフロントプリントの露光が開始されても、印画紙片の後端が例えば露光ユニットなどの他のユニット中に残っている可能性がある。特に、写真処理装置の小型化により、各ユニット間の距離が短くなると、その可能性が高くなる。
【０００８】
ところで、写真処理装置では、印画紙をマガジンから引き出して所定の長さに切断し、切断された印画紙片を露光し、さらにバックプリントを印字したりフロントプリントを露光した後、印画紙片に現像処理を施す。そのため、写真処理装置の内部を、印画紙片の搬送機構を含む複数のユニットで構成するとともに、印画紙片のたるみを防止するために、各ユニットにおける印画紙片の搬送速度を、搬送方向の上流側から下流側にかけて順に少しずつ速くしている。
【０００９】
従って、上記の場合のように、印画紙片が複数のユニットに跨がって搬送される場合、搬送方向の上流側に位置するユニットの搬送速度の影響を受け、下流側のユニットにおける印画紙片の実際の搬送速度が遅くなる。すなわち、印画紙片の長さが変わることによって、バックプリントの印字開始位置やフロントプリントの露光開始位置がばらつくことになる。
【００１０】
印画紙片の長さによるバックプリントの印字開始位置やフロントプリントの露光開始位置のばらつきを気にしないのであれば、ばらつきを許容できるように（ばらつきが生じた場合でも印字などが印画紙片上に載る程度に）印画紙片の先端からの印字開始位置又は露光開始位置を設定しておけば、バックプリントやフロントプリントの文字欠けなどの発生を防止することができる。
【００１１】
しかしながら、現像処理された写真の画質のチェック、枚数のカウント、順番揃えといった検品作業を行う場合、これらバックプリントの印字位置やフロントプリントの露光位置のばらつきが大きいため、絶えず視線を動かしながら作業を行わなければならず、作業者の負担（疲労度）が大きい。
【００１２】
バックプリントの印字位置やフロントプリントの露光位置のばらつきを小さくするために、上記印画紙片の先端又は後端を検出するためのセンサの他に、印字装置による印字位置又は光ドット式露光装置による露光位置の直近に第２センサを設け、第２センサによる印画紙片の先端の通過を検出したことを示す信号をトリガーとして、バックプリントの印字開始又はフロントプリントの露光開始のタイミングを制御することも可能である。但し、第２センサが印画紙片の先端を検出するとすぐに印字又は露光を開始することを前提としていることは言うまでもない。
【００１３】
しかしながら、第２センサを印字装置や光ドット式露光装置の直近に設けることは、装置の設計の自由度を制限すると共に、構成の複雑化やコストアップを招く。
【００１４】
本発明は、上記従来例の問題点を解決するためになされたものであり、センサの数を増やすことなく、印画紙片の長さにかかわらず、バックプリントの印字開始位置やフロントプリントの露光開始位置のばらつきを低減した写真処理装置を提供することを目的としている。
【００１５】
【課題を解決するための手段】
上記目的を達成するため、本発明の写真処理装置は、印画紙片を第１所定速度で搬送する第１搬送装置と、印画紙片の搬送方向に対して前記第１搬送装置の下流側に位置し、印画紙片を前記第１搬送速度よりも速い第２搬送速度で搬送する第２搬送装置と、前記第２搬送装置に対向するように設けられ、印画紙片の先端及び／又は後端の通過を検出するセンサと、前記センサから所定距離だけ離れた位置に、前記第２搬送装置に対向するように設けられ、印画紙片の表面又は裏面の印画紙片の先端を基準とする所定の位置から画像以外の情報を記録するための記録装置と、前記センサが印画紙片の先端又は後端の通過を検出してから前記記録装置による前記画像以外の情報の記録を開始するまでのタイミングを制御するタイミング制御部とを具備し、印画紙片の搬送方向の長さが前記センサと前記記録装置の記録部との距離よりも長く、前記センサが印画紙片の先端を検出した時に印画紙片の後端が前記第１搬送装置に在った場合、前記タイミング制御部は、印画紙片の長さに応じて、前記タイミングを遅くすることを特徴とする。
【００１６】
この構成によれば、印画紙片の長さが長く、第１搬送装置の第１搬送速度の影響を受けて第２搬送装置による印画紙片の搬送速度が第２搬送速度よりも遅くなっても、それに応じて記録開始のタイミングを遅くするので、印画紙片の長さにかかわらず、印画紙片の表面又は裏面の印画紙片の先端を基準とするほぼ同じ位置から画像以外の情報を記録することができる。また、１つのセンサで印画紙片の先端と後端の両方の通過を検出しているので、センサの数を増やすことなく、印画紙片の長さにかかわらず、バックプリントの印字開始位置やフロントプリントの露光開始位置のばらつきを低減することができる。
【００１７】
また、本発明の別の写真処理装置は、印画紙片を第１所定速度で搬送する第１搬送装置と、印画紙片の搬送方向に対して前記第１搬送装置の下流側に位置し、印画紙片を前記第１搬送速度よりも速い第２搬送速度で搬送する第２搬送装置と、前記第２搬送装置に対向するように設けられ、印画紙片の先端及び／又は後端の通過を検出するセンサと、前記センサから所定距離だけ離れた位置に、前記第２搬送装置に対向するように設けられ、印画紙片の表面又は裏面の印画紙片の先端を基準とする所定の位置から画像以外の情報を記録するための記録装置と、前記センサが印画紙片の先端又は後端の通過を検出してから前記記録装置による前記画像以外の情報の記録を開始するまでのタイミングを制御するタイミング制御部とを具備し、印画紙片の搬送方向の長さが前記センサと前記記録装置の記録部との距離と同じかそれよりも短い場合に、前記タイミング制御部は、前記センサが印画紙片の後端を検出した時点から、以下の式
Ｔｒ＝｛（Ｌ１−Ｌｎ）＋δ｝／Ｓ２
但し、Ｌｎ：印画紙片の長さ
Ｌ１：センサと記録装置の記録部との距離
δ　：印画紙片の先端から画像以外の情報の本来の記録開始位置までの距離
Ｓ２：第２搬送速度
で表される時間Ｔｒだけ経過した時から前記記録装置による前記画像以外の情報の記録を開始することが好ましい。
【００１８】
すなわち、印画紙片の長さがセンサと記録装置の記録部との距離と同じかそれよりも短い場合、印画紙片全体が第２搬送装置により搬送され、第１搬送装置の影響を受けないので、印字装置により上記タイミングで記録を開始することにより、印画紙片の長さにかかわらず、印画紙片の表面又は裏面の印画紙片の先端を基準とするほぼ同じ位置から画像以外の情報を記録することができる。
【００１９】
また、印画紙片の搬送方向の長さが前記センサと前記記録装置の記録部との距離と同じかそれよりも長い場合に、前記タイミング制御部は、前記センサが印画紙片の先端を検出した時点から、以下の式
Ｔｆ＝（Ｌ１＋２δ−Ｄｎ）／Ｓ２
但し、Ｌｎ：印画紙片の長さ
Ｌ１：センサと記録装置の記録部との距離
δ　：印画紙片の先端から画像以外の情報の本来の記録開始位置までの距離
Ｓ２：第２搬送速度
Ｄｎ：印画紙片の長さに応じた印画紙片の先端から画像以外の情報の実際の記録開始位置までの推定距離
【００２０】
【数２】
2004061764.tif 000003
【００２１】
Ｌ２：写真処理装置で処理可能な印画紙片の最大長さ
Ｌ３：第１搬送速度の影響を受ける可能性のある最小長さ
Ｄ２：印画紙片の長さがＬ２の場合の印画紙片の先端から画像以外の情報の実際の記録開始位置までの距離の平均値
Ｄ３：印画紙片の長さがＬ３の場合の印画紙片の先端から画像以外の情報の実際の記録開始位置までの距離の平均値
で表される時間Ｔｆだけ経過した時から前記記録装置による前記画像以外の情報の記録を開始することが好ましい。
【００２２】
この構成によれば、印画紙片の長さが長く、第１搬送装置の第１搬送速度の影響を受ける場合に、印画紙片の長さに応じた記録開始位置のずれを推定して、記録開始のタイミングを補正しているので、印画紙片の長さにかかわらず、画像以外の情報の記録位置のばらつきをより小さくすることができる。
【００２３】
【発明の実施の形態】
本発明に係る写真処理装置の一実施形態として、バックプリント用の印字装置を備えた写真処理装置について説明する。
【００２４】
図１は、上記写真処理装置の主要部の一構成例を示す。図１に示すように、写真処理装置の主要部は、ロール状に巻回された印画紙３を所定の長さに切断するカッタユニット４と、写真フィルム２上に形成された画像を拡大して投影し、印画紙片１を露光して潜像を形成するための露光ユニット１０と、印画紙片１の裏面にバックプリントを印字するための印字ユニット２０と、露光された印画紙片１を現像処理ユニット（図示せず）に搬送するための搬送ユニット３０などを具備する。
【００２５】
露光ユニット１０は、露光台１１、露光台１１に対して平行に保持された写真フィルム２上の画像を印画紙片１上に拡大投影するためのレンズ１２及び光源（図示せず）などで構成されている。露光台１１は、駆動プーリ及び従動プーリの間に張架されたベルトなどで構成されており、カッタユニット４から搬送されてきた印画紙片１を受け取り、レンズ１２に対向する位置で停止し、露光に備えて所定寸法に切断された印画紙片１を保持する。また、印画紙片１の露光完了後は、駆動プーリの駆動を再開して、印画紙片１を第１所定速度Ｓ１で矢印Ａで示すように、次の印字ユニット２０に搬送する。
【００２６】
印字ユニット２０は、ドットプリンタなどの印字装置２１、印画紙片１を第２所定速度Ｓ２で矢印Ｂで示す方向に搬送するための駆動ベルト２２、駆動ベルト２２に対して所定の圧力で密着する従動ベルト２３、搬送されてきた印画紙片１の先端及び後端を検出するためのセンサ２４、印字装置２１によるバックプリント開始のタイミングを制御するためのタイミング制御部２５などで構成されている。印画紙片１の表側に接触する駆動ベルト２２は、例えばこの写真処理装置で処理可能な印画紙片１の最大幅とほぼ同じ幅を有している。これに対して、印画紙片１の裏側に接触する従動ベルト２３は、印字装置２１及びセンサ２４を避けるために、駆動ベルト２２との間で印画紙片１の両側部を挟持すべく、左右で１対をなすように２つに分割されている（図１では片側のみを示す）。
【００２７】
搬送ユニット３０は、印画紙片１を第３所定速度Ｓ３で矢印Ｃで示す方向に搬送するための駆動ベルト３１、駆動ベルト３１に対して所定の圧力で密着する従動ベルト３２などで構成されている。
【００２８】
なお、第２所定速度Ｓ２は第１所定速度Ｓ１よりも若干速く、また第３所定速度Ｓ３は第２所定速度Ｓ２よりも若干速くなるように設定されている。
【００２９】
印字ユニット２０のセンサ２４は、上記のように印画紙片１の先端及び後端を検出するためのものであるため、印字ユニット２０の入り口にできるだけ近い位置に設けられている。すなわち、センサ２４が印画紙片１の後端を検出した時点では、印画紙片１の全体が露光ユニット１０を離れ、印字ユニット２０及び場合によっては先端部が搬送ユニット３０に移動しているため、露光ユニット１０では、次の印画紙片への露光が可能な状態にある。従って、センサ２４により印画紙片１の後端をより速く検出することにより、速やかに次の印画紙片の露光動作を行うことができ、写真処理装置の処理能力を向上させることができる。
【００３０】
次に、タイミング制御部２５による印字装置２１のバックプリント開始のタイミング制御について説明する。
【００３１】
印画紙片１の長さＬｎが、センサ２４から印字装置２１による印字部の位置までの距離Ｌ１よりも短い場合、センサ２４が印画紙片１の後端を検出した時点で、印画紙片１の先端はまだ印字部の位置に到達していない。また、印画紙片１の全体が印字ユニット２０の駆動ベルト２２と従動ベルト２３との間に挟持されているため、印字ユニット２０における第２所定速度Ｓ２で搬送され、搬送速度は一定である。そこで、印画紙片１の長さＬｎが距離Ｌ１と同じかそれよりも短い場合、タイミング制御部２５は、センサ２４が印画紙片１の後端を検出した時点から所定時間Ｔｒだけ経過した時からバックプリントを開始するように印字装置２１を制御する。印画紙片Ｌｎの長さは、顧客の注文によるプリントサイズにより決定され、カッタユニット４による印画紙片１の切断のタイミング信号などから判断することができる。印画紙片１の先端からバックプリント開始位置までの距離をδとして、Ｔｒは、
Ｔｒ＝｛（Ｌ１−Ｌｎ）＋δ｝／Ｓ２
で表される。
【００３２】
印画紙片の長さＬｎが距離Ｌ１よりも長い場合、センサ２４が印画紙片１の後端を検出した時点では、印画紙片１の先端又は印字開始位置がすでに印字部の位置を通り過ぎている。そこで、この場合は、センサ２４により印画紙片１の先端を検出し、タイミング制御部２５は、その時点から、印画紙片１の長さに応じてそれぞれ補正された時間を経過した時からバックプリントを開始するように印字装置２１を制御する。
【００３３】
前述のように、パノラマサイズなどのように印画紙片１の長さＬｎが長い場合、先端が印字ユニット２０に掛かっていても、後端がまだ露光ユニット１０にあり、速度の遅い第１搬送速度Ｓ１の影響を受けている。そのため、印字ユニット２０における印画紙片１の実際の搬送速度は第２搬送速度Ｓ２よりも遅く、かつその速度は、印画紙片１のうち印字ユニット２０内にある部分と露光ユニット１０内にある部分の割合に応じて刻々変化している。
【００３４】
そこで、本実施形態では、この写真処理装置で処理可能な印画紙片の最大長さＬ２と露光ユニット１０の第１搬送速度Ｓ１の影響を受ける可能性のある最小長さＬ３の印画紙片１をそれぞれ多数用意し、印字装置２１を用いて実際にバックプリントを行い、印画紙片１の先端から実際のバックプリント開始位置までの距離の平均値Ｄ２及びＤ３を求める。本来のバックプリント開始位置と実際のバックプリント開始位置のずれが印画紙片の長さに比例しているものと推定して、長さＬｎ（Ｌ２≧Ｌｎ≧Ｌ３＞Ｌ１）の印画紙片について、印画紙片１の先端からバックプリント開始位置までの推定距離Ｄｎを補間により求める。ここで、長さＬ３は、上記センサ２４から印字装置２１による印字部の位置までの距離Ｌ１に、印字ユニット２０の駆動ベルト２２で制御可能な最小送り量γ（例えばステッピングモータの駆動信号１パルス分に相当する移動量）を加えた値である。距離Ｄｎを求めるグラフを図２に示す。
【００３５】
【数３】
2004061764.tif 000004
【００３６】
長さＬｎの印画紙片についての印画紙片１の先端からバックプリント開始位置までの距離Ｄｎが求まると、タイミング制御部２５は、センサ２４が印画紙片１の先端を検出した時点からバックプリントを開始するまでの時間Ｔｆを演算する。Ｔｆは、
Ｔｆ＝｛Ｌ１＋δ＋（δ−Ｄｎ）｝／Ｓ２＝（Ｌ１＋２δ−Ｄｎ）／Ｓ２
で表される。すなわち、印字ユニット２０における印画紙片１の実際の搬送速度が第２搬送速度Ｓ２よりも遅い分、（δ−Ｄｎ）だけ余分に送ったことにしてバックプリント開始のタイミングを遅らせる。
【００３７】
印画紙片１が、速度の遅い露光ユニット１０の第１搬送速度Ｓ１の影響を受けないと仮定すれば、Ｔｆ＝（Ｌ１＋δ）／Ｓ２となる。センサ２４が印画紙片１の先端の通過を検出してタイミング制御を開始しているため、先に示した印画紙片１の長さＬｎが距離Ｌ１と同じかそれよりも短い場合の所定時間Ｔｒの式からＬｎを除いたものと一致することになる。ところが、印画紙片１の長さＬｎがＬ１よりも長いため、露光ユニット１０の第１搬送速度Ｓ１の影響を受け、印字ユニット２０における印画紙片１の実際の搬送速度Ｓ２’は第２搬送速度Ｓ２よりも遅くなり、時間（Ｌ１＋δ）／Ｓ２経過する間に、印画紙片１の先端は距離（Ｌ１＋Ｄｎ）しか進まない。従って、実際の搬送速度Ｓ２’は、
Ｓ２’＝（Ｌ１＋Ｄｎ）・Ｓ２／（Ｌ１＋δ）
で近似される。上記Ｔｆの式中のＳ２を実際の搬送速度Ｓ２’に置換することにより、より真値に近い時間Ｔｆを得ることができる。
【００３８】
なお、バックプリントは、本来撮影に関する情報であって、現像処理された写真の品質に直接影響を与えるものではない。また、Ｌ１≫δであるので、Ｓ２’＝Ｓ２としてＴｆを演算しても、特に問題はない。
【００３９】
以上のようにして、印画紙片１の長さＬｎがＬ１以下の場合、センサ２４が印画紙片１の後端を検出してからの時間Ｔｒが、また印画紙片１の長さＬｎがＬ１よりも長い場合、センサ２４が印画紙片１の先端を検出してからの時間Ｔｆが得られると、タイミング制御部２５は、時間Ｔｒ又はＴｆ経過後、印字装置２１にバックプリントの印字を開始させる。その結果、印画紙片１の長さにかかわらず、印画紙片１の先端からほぼ一定の距離δだけ離れた位置からバックプリントが開始される。
【００４０】
なお、上記実施形態では、露光ユニット１０として、フィルム２上に形成された画像を印画紙片１上に拡大投影して露光する場合について説明したが、本発明はこれに限定されるものではなく、印画紙片上を色の三原色に対応した３種類のレーザビームで走査して潜像を露光するディジタル式の露光ユニットを用いる場合でも同様の効果を奏する。
【００４１】
また、上記実施形態では、印字装置２１を用いて印画紙片１の裏面にバックプリントを印字する場合について説明したが、本発明はこれに限定されるものではなく、ＬＥＤアレイなどの光ドット式露光装置を用いて印画紙片の表面にフロントプリントを露光する場合にも適用することができることは言うまでもない。
【００４２】
さらに、上記実施形態では、印画紙片１の搬送機構として、駆動ベルト及び従動ベルトなどで構成されたものを用いた例を示したが、本発明はこれに限定されるものではなく、複数組の駆動ローラ、従動ローラ及びガイドレールなどで構成された搬送機構であっても同様の効果を奏する。
【００４３】
さらに、上記実施形態では、印字装置２１としてドットプリンタを例示したが、本発明はこれに限定されるものではなく、インクジェットプリンタやその他のプリンタを用いることも可能である。
【００４４】
さらに、上記実施形態では、長さＬ３として、センサ２４から印字装置２１の印字位置までの距離Ｌ１に、最小送り量γ（例えばステッピングモータの駆動信号１パルス分に相当する移動量）を加えた値としたが、これに限定されるものではなく、距離Ｌ１に任意の距離γ’を加えた値を用いても良い。
【００４５】
【発明の効果】
以上説明したように、本発明の写真処理装置によれば、タイミング制御部は、印画紙片の搬送方向の長さがセンサと記録装置の記録部との距離よりも長い場合に、印画紙片の長さに応じて記録装置による記録開始のタイミングを遅くするので、印画紙片の長さが長く、第１搬送装置の第１搬送速度の影響を受けて第２搬送装置による印画紙片の搬送速度が第２搬送速度よりも遅くなっても、それに応じて記録開始のタイミングを遅くするので、印画紙片の長さにかかわらず、印画紙片の表面又は裏面の印画紙片の先端を基準とするほぼ同じ位置から画像以外の情報を記録することができる。
【００４６】
また、１つのセンサで印画紙片の先端と後端の両方の通過を検出しているので、センサの数を増やすことなく、印画紙片の長さにかかわらず、バックプリントの印字開始位置やフロントプリントの露光開始位置のばらつきを低減することができる。
【００４７】
さらに、現像処理された写真の画質のチェック、枚数のカウント、順番揃えといった検品作業を行う場合、これらバックプリントの印字位置やフロントプリントの露光位置のばらつきが小さいので、視線の移動量が小さくなり、作業者の負担（疲労度）を軽減することができる。
【図面の簡単な説明】
【図１】本発明に係る写真処理装置の一実施形態であるバックプリント用の印字装置を備えた写真処理装置主要部の一構成例を示す図である。
【図２】上記実施形態において、印画紙片の長さが長い場合に、印画紙片の先端からバックプリント開始位置までの推定距離Ｄｎを補間するためのグラフである。
【符号の説明】
１：印画紙片
２：写真フィルム
３：巻回された印画紙
４：カッタユニット
１０：露光ユニット
１１：露光台（第１搬送装置）
２０：印字ユニット
２１：印字装置（記録装置）
２２：駆動ベルト（第２搬送装置）
２３：従動ベルト（第２搬送装置）
２４：センサ
２５：タイミング制御部
３０：搬送ユニット
３１：駆動ベルト
３２：従動ベルト
【図１】
2004061764.tif 000006
【図２】
2004061764.tif 000007